(57)【要約】【課題】  トラクタへの連続紙のセットミスを防止する。【解決手段】  リアトラクタ２７１で搬送される連続紙に向けて、記録ワイヤを有する記録ヘッド３０から前記記録ワイヤを突出させて前記連続紙に画像を記録するドットインパクトプリンタにおいて、前記リアトラクタ２７１の近傍に、前記連続紙セット時に前記連続紙の先端位置を規制する規制部材７０を設けた。【選択図】      図５
2006232470.tif 000002
【特許請求の範囲】
【請求項１】
トラクタで搬送される連続紙に向けて、記録ワイヤを有する記録ヘッドから前記記録ワイヤを突出させて前記連続紙に画像を記録する記録装置において、
前記トラクタの近傍に、前記連続紙セット時に前記連続紙の先端位置を規制する規制部材を設けたことを特徴とする記録装置。
【請求項２】
前記規制部材を前記トラクタの搬送面に対向配置した
ことを特徴とする請求項１に記載の記録装置。
【請求項３】
前記記録ヘッドに連続紙を搬送する搬送機構と、
前記トラクタにより搬送された前記連続紙を前記搬送機構に向かって搬送するスプロケットホイールとを備え、
前記連続紙の搬送時に、前記連続紙の孔から外れる前記トラクタのピンと、この孔に挿入する前記スプロケットホイールのピンとの間に、前記規制部材を設けた
ことを特徴とする請求項１または２に記載の記録装置。
【請求項４】
前記トラクタと対向配置される用紙押えを備え、
前記規制部材と前記トラクタとの間の隙間を、前記トラクタと前記用紙押えとの間の隙間と略同一としたことを特徴とする請求項１乃至３のいずれかに記載の記録装置。
【請求項５】
前記規制部材を前記トラクタと異なる色としたことを特徴とする請求項１乃至４のいずれかに記載の記録装置。
【請求項６】
前記規制部材を、前記スプロケットホイールにより搬送される前記連続紙をガイドするスプロケットガイド、或いは、前記トラクタと一体に構成したことを特徴とする請求項１乃至５のいずれかに記載の記録装置。
【発明の詳細な説明】
【技術分野】
【０００１】
本発明は、連続紙を搬送するトラクタを備えた記録装置に係り、特に、このトラクタへの連続紙のセットミスを防止するための技術に関する。
【背景技術】
【０００２】
従来、記録ワイヤを打ち出す記録ヘッドと、この記録ヘッドと対向配置されるプラテンとを備え、記録ヘッドがプラテン上に供給される記録用紙にインクリボンを介して記録ワイヤを打ち付けて、当該記録用紙に文字や絵などの画像を記録するドットインパクトプリンタなどの記録装置が知られている。
この種の記録装置では、連続帳票などの連続紙を搬送するトラクタを備え、連続紙への記録を可能にしたものが知られている。一般に、トラクタは、連続紙の両端に設けられたスプロケット孔と等間隔に複数のピンが設けられ、これらのピンが連続紙の孔に挿入して駆動されることで連続紙を搬送する。また、トラクタにより搬送された連続紙は、トラクタと同期して駆動されるスプロケットホイールにより記録ヘッドとプラテンとの間に向けて搬送される（例えば、特許文献１参照）。
【特許文献１】特開平８−３２４８４８号公報（図１）
【発明の開示】
【発明が解決しようとする課題】
【０００３】
しかしながら、上記トラクタが記録装置の背面（リア）に設けられている場合、ユーザは記録装置の正面側からトラクタに連続紙をセットすることとなり、連続紙セット時にトラクタやスプロケットホイールを視認し難い。したがって、ユーザが連続紙をセットする際に、連続紙の先端部をスプロケットホイールの奥まで押し込んでしまうといったセットミスが生じるという問題があった。このようにセットミスが生じると、連続紙の先端部の両端が連続紙の幅方向に正確に揃わず、搬送時に用紙ジャムが発生する可能性が高くなる。
本発明は、上述した事情に鑑みてなされたものであり、トラクタへの連続紙のセットミスを防止することのできる記録装置を提供することを目的とする。
【課題を解決するための手段】
【０００４】
上記目的を達成するために、本発明は、トラクタで搬送される連続紙に向けて、記録ワイヤを有する記録ヘッドから前記記録ワイヤを突出させて前記連続紙に画像を記録する記録装置において、前記トラクタの近傍に、前記連続紙セット時に前記連続紙の先端位置を規制する規制部材を設けたことを特徴とする。
この記録装置によれば、トラクタの近傍に、連続紙セット時に連続紙の先端位置を規制する規制部材が設けられているため、トラクタへの連続紙セット時に、ユーザが手探りでセットする場合でも、連続紙の先端部が規制部材に当接するため連続紙が奥まで押し込まれることがなく、また、ユーザは、連続紙の先端部と規制部材との当接により、連続紙のトラクタへのセット位置を把握し易くなる。これにより、トラクタへの連続紙のセットミスが防止され、給紙時の紙ジャムの発生を未然に防止することができる。
【０００５】
ここで、上記記録装置において、前記規制部材を前記トラクタの搬送面に対向配置した構成が望ましい。
この望ましい構成によれば、規制部材がトラクタの上方に位置するため、連続紙の先端部が規制部材に当接したときに、ユーザは連続紙をそのまま下ろせば、連続紙の両端に設けられたスプロケットホールをトラクタの搬送面上のピンに簡単に挿入することができる。
【０００６】
また、上記記録装置において、前記記録ヘッドに連続紙を搬送する搬送機構と、前記トラクタにより搬送された前記連続紙を前記搬送機構に向かって搬送するスプロケットホイールとを備え、前記連続紙の搬送時に、前記連続紙の孔から外れる前記トラクタのピンと、この孔に挿入する前記スプロケットホイールのピンとの間に、前記規制部材を設けた構成も望ましい。
この望ましい構成によれば、連続紙の両側における最先位置のスプロケットホールのそれぞれを、連続紙の先端部が規制部材に当接した位置から一番近いピンに挿入することで、連続紙の両端を正確に揃えることができる。これにより、紙ジャムの発生をより確実に防止することができる。
【０００７】
また、上記記録装置において、前記トラクタと対向配置される用紙押えを備え、前記規制部材と前記トラクタとの間の隙間を、前記トラクタと前記用紙押えとの間の隙間と略同一とした構成も望ましい。
この望ましい構成によれば、連続紙の搬送時に、この連続紙の先端部が規制部材の下端に引っ掛かり難くなり、搬送がスムーズに行われるとともに、紙ジャムの発生を防止することができる。
【０００８】
また、上記記録装置において、前記規制部材を前記トラクタと異なる色とした構成も望ましい。
この望ましい構成によれば、規制部材の位置を把握し易くなり、ユーザがトラクタを目で確認しながら連続紙をセットする場合に、連続紙のトラクタへのセット位置がより正確にわかりやすくなる。
なお、上記記録装置において、規制部材を、前記スプロケットホイールにより搬送される前記連続紙をガイドするスプロケットガイド、或いは、前記トラクタと一体に構成しても良い。
【発明の効果】
【０００９】
本発明によれば、トラクタの近傍に、連続紙セット時に前記連続紙の先端位置を規制する規制部材を設けたため、トラクタへの連続紙のセットミスが防止される。
【発明を実施するための最良の形態】
【００１０】
以下、図面を参照して本発明の実施の形態について説明する。以下の実施の形態では、本発明を記録装置の一態様であるドットインパクトプリンタに適用した場合を例示する。
図１はドットインパクトプリンタ１０の外観斜視図であり、図２はドットインパクトプリンタ１０の背面図である。また、図３はドットインパクトプリンタ１０が内蔵する記録機構部２０の構成を示す斜視図であり、図４は図３のＡ−Ａ’線における記録機構部２０の断面図である。
ドットインパクトプリンタ１０は、複数の記録ワイヤ（図示せず）を有する記録ヘッド３０を備え、記録ヘッド３０から記録ワイヤを突出させて、インクリボンを介して記録用紙の記録面に、文字を含む画像を記録するものである。なお、以下の説明では、記録用紙として連続紙を用いた場合について説明する。
【００１１】
図１に示すように、ドットインパクトプリンタ１０は、上部ケース１１及び下部ケース１２からなる略箱形の外装を有し、この外装に記録機構部２０（図３）を内蔵する。
上部ケース１１の上面前部には上面カバー１３が配設され、後述するリボンカートリッジ（図示せず）を記録機構部２０に装着する際等に上方に開かれる。上部ケース１１の前面下部には、記録機構部２０に連続紙を供給するためのフロント給紙口１１１が開口する。フロント給紙口１１１の上には、前方に開く前面カバー１５が配設され、前面カバー１５を開けて記録機構部２０に連続紙をセットできるようになっている。
【００１２】
図１及び図２に示すように、上部ケース１１には、上部ケース１１の上面後部から背面にかけて連続する上背面カバー１４が配設される。上背面カバー１４は、後述する記録機構部２０のメンテナンス時等に、上部ケース１１の後方に向けて開放される。上背面カバー１４の背面には、記録後の連続紙が吐き出される排紙口１１３が開口する。
さらに、上部ケース１１の背面において、上背面カバー１４の下には、記録機構部２０に連続紙を供給するためのリア給紙口１１２が開口する。
また、図２に示すように、下部ケース１２の背面下部にはＩ／Ｆカバー１６が配設される。Ｉ／Ｆカバー１６の内側には、ドットインパクトプリンタ１０をコンピュータ等の各種機器に接続するためのコネクタ（図示略）が配設されており、Ｉ／Ｆカバー１６を開けて、上記コネクタにケーブルを接続する等の作業を行えるようになっている。
【００１３】
また、図１に示すように、上部ケース１１の前面上部には操作パネル１２１が配設される。この操作パネル１２１には、ドットインパクトプリンタ１０の動作に係る各種設定のためのスイッチ類、動作状態を報知するインジケータ及び液晶ディスプレイパネル等が設けられる。下部ケース１２の前面の隅には、ドットインパクトプリンタ１０の電源をＯＮ／ＯＦＦするスイッチ１２２が配される。また、図２に示すように、下部ケース１２の背面には、ドットインパクトプリンタ１０に電源を供給するための電源コネクタ１２３が配設される。
【００１４】
次に、記録機構部２０の構成について説明する。
図３及び図４に示すように、記録機構部２０は、右サイドフレーム２１、左サイドフレーム２２、フロントフレーム２３及びベースフレーム２４を備え、これらのフレーム２１、２２、２３、３４により本体フレームが構成される。そして、この本体フレームには、記録ヘッド３０と、記録ヘッド３０を載置するキャリッジ２８と、フロント側から記録ヘッド３０に対して連続紙を供給するフロント給紙機構２６と、リア側から記録ヘッド３０に対して連続紙を供給するリア給紙機構２７と、フロント給紙機構２６及びリア給紙機構２７により供給された連続紙を記録ヘッド３０に向けて搬送する搬送機構３４と、記録ヘッド３０による記録済みの連続紙を排出する排紙機構３５と、リボンカートリッジ（図示せず）を駆動するリボン駆動ユニット３７とが配設される。
【００１５】
右サイドフレーム２１及び左サイドフレーム２２は、記録機構部２０の両端部において互いに対向するよう立設され、この右サイドフレーム２１と左サイドフレーム２２との間に、フロントフレーム２３及びベースフレーム２４が架け渡される。フロントフレーム２３は記録機構部２０のフロント側に位置し、ベースフレーム２４は記録機構部２０の下部のリア側に位置する。
右サイドフレーム２１及び左サイドフレーム２２のフロント下部には、それぞれローラ２５が配設され、これら２個のローラ２５を介して、記録機構部２０は下部ケース１２により支持される。また、ローラ２５は回転自在に構成され、ローラ２５を支点として記録機構部２０を斜め上方にチルトさせることで、記録機構部２０の下方に配設される制御基盤（図示略）のメンテナンス等を行える。
【００１６】
フロント給紙機構２６は、記録機構部２０の前面下部に配設されたフロント給紙台２６１と、右サイドフレーム２１と左サイドフレーム２２との間に平行に架け渡されたトラクタ支持軸２６３及びトラクタ駆動軸２６４と、左右一対のフロントトラクタ２６２と、各フロントトラクタ２６２に一体に取り付けられたフロントトラクタカバー２６６とを備える。
フロント給紙台２６１は、記録機構部２０の前面のほぼ下端部から斜め上に延びる面を有し、この面により、フロント給紙口１１１（図１）から挿入された連続紙を下方から支持する。フロント給紙台２６１の上方には、トラクタ支持軸２６３及びトラクタ駆動軸２６４が配設され、これらトラクタ支持軸２６３及びトラクタ駆動軸２６４に、左右一対のフロントトラクタ２６２が挿通される。フロントトラクタ２６２は各々平面部を有し、この平面部がフロント給紙台２６１の面に連なるよう配設される。
【００１７】
フロントトラクタ２６２は、複数のピン２６５を有するトラクタベルト（図示せず）を備える。このトラクタベルトはトラクタ支持軸２６３とトラクタ駆動軸２６４とに架けられる。トラクタ支持軸２６３は回転自在に配設される一方、トラクタ駆動軸２６４は搬送モータによって駆動されて回転する。そして、上記トラクタベルトは、トラクタ駆動軸２６４の回転に伴って回転し、ピン２６５を下方から上方へ移動させる。ピン２６５は、フロントトラクタ２６２の平面部から露出しており、連続紙の幅方向両端部に穿設されたスプロケットホールに係合する。そして、上記トラクタベルトの回転によりピン２６５が移動すると、連続紙が、上方すなわち記録ヘッド３０側へ搬送される。
また、フロントトラクタ２６２には、ピン２６５の上方から被さるフロントトラクタカバー２６６が配設される。フロントトラクタ２６２に連続紙を載せてフロントトラクタカバー２６６を被せることにより、連続紙のスプロケットホールがピン２６５に係合した状態が保持される。
【００１８】
リア給紙機構２７は、右サイドフレーム２１と左サイドフレーム２２との間に架け渡されたトラクタ支持軸２７２及びトラクタ駆動軸２７３と、左右一対のリアトラクタ２７１と、各リアトラクタ２７１に一体に取り付けられたリアトラクタカバー２７５と、リアトラクタ２７１と、スプロケットホイール２７６とを備える。
図４に示すように、ベースフレーム２４は、リアトラクタ２７１の搬送面（上面）２７１Ａと連続するように延びてドットインパクトプリンタ１０のリア給紙口１１２から突出する用紙支持部２４２を有し、リア給紙口１１２に給紙された連続紙は用紙支持部２４２により支持されてリアトラクタ２７１の搬送面２７１Ａに導かれる。
上記トラクタ支持軸２７２及びトラクタ駆動軸２７３は互いに略並行に配設され、これらトラクタ支持軸２７２及びトラクタ駆動軸２７３に、２個のリアトラクタ２７１が挿通される。
【００１９】
リアトラクタ２７１は、連続紙の両端に設けられたスプロケットホール（孔）と等間隔に配列された複数のピン２７４を有するトラクタベルト（図示略）を備え、このトラクタベルトがトラクタ支持軸２７２とトラクタ駆動軸２７３とに架け渡されている。トラクタベルトのピン２７４はリアトラクタ２７１の搬送面２７１Ａに露出して、連続紙のスプロケットホール（図示せず）に挿入される。そして、トラクタ駆動軸２７３が駆動されてトラクタベルトが回転すると、このトラクタベルトの回転により連続紙が搬送される。
【００２０】
リアトラクタ２７１に対して連続紙搬送方向下流側には、スプロケットホイール２７６が設けられる。このスプロケットホイール２７６は後述する搬送機構３４の下方に配置され、リアトラクタ２７１によって搬送された連続紙を搬送機構３４に向けて搬送するものである。具体的には、スプロケットホイール２７６の周面には、スプロケットホールと等間隔で配列された複数のピン２７７が設けられ、これらのピン２７７がリアトラクタ２７１から搬送された連続紙のスプロケットホールに挿入される。そして、スプロケットホイール２７６および上記リアトラクタ２７１が互いに同期して駆動されて、連続紙が搬送機構３４に向けて搬送される。このとき、スプロケットホイール２７６および上記リアトラクタ２７１は、印字の際の改行ごとに搬送モータ（図示せず）により駆動されて、連続紙を搬送する。
【００２１】
リアトラクタ２７１には、搬送面２７１Ａを上方から覆う用紙押さえとしてのリアトラクタカバー２７５が開閉自在に設けられている。すなわち、リアトラクタ２７１への連続紙のセット時にはリアトラクタカバー２７５を開いて搬送面２７１Ａを露出させ、連続紙のスプロケットホールをピン２７７に挿入した後、リアトラクタカバー２７５を閉じる。これにより、連続紙の上面位置がリアトラクタカバー２７５により規制され、スプロケットホールがピン２７４から外れるのが防止される。
【００２２】
上記搬送機構３４は、互いに対向配置されて連続紙を記録ヘッド３０に向けて搬送する第１搬送ローラ３４１および第２搬送ローラ３４２と、第２搬送ローラ３４２を軸支する第２搬送ローラ軸３４３と、記録ヘッド３０に対向して配設されたプラテン３１とを備える。
第１搬送ローラ３４１はリア給紙ドラム２７６の上方に配設され、連続紙の裏面に当接する。この第１搬送ローラ３４１に対して、連続紙を挟んで対向する位置に、第２搬送ローラ軸３４３が配設される。この第２搬送ローラ軸３４３は、右サイドフレーム２１と左サイドフレーム２２との間に回転自在に架け渡され、複数の第２搬送ローラ３４２が挿通される。第２搬送ローラ軸３４３は、ローラ開閉モータの動作によって所定の範囲内で移動可能であり、ローラ開閉モータが開動作を行うと、第２搬送ローラ３４２は第１搬送ローラ３４１から離隔され、ローラ開閉モータが閉動作を行うと、第２搬送ローラ３４２は第１搬送ローラ３４１に向けて付勢される。
そして、上記ローラ開閉モータが閉動作を行うことで、連続紙が第１搬送ローラ３４１と第２搬送ローラ３４２との間に挟持される。第１搬送ローラ３４１は搬送モータ及び駆動輪列部３３により駆動され、第１搬送ローラ３４１が回転することにより、第１搬送ローラ３４１と第２搬送ローラ３４２とに挟まれた連続紙が、上方すなわち記録ヘッド３０側へ搬送される。
【００２３】
キャリッジ２８は、右サイドフレーム２１と左サイドフレーム２２との間に架け渡されたキャリッジ軸２９に挿通される。キャリッジ２８には、キャリッジ駆動モータ３２とキャリッジ駆動プーリ（図示略）とに架けられたベルトが装着され、キャリッジ駆動モータ３２とキャリッジ駆動プーリの動作によってベルトが駆動されると、キャリッジ軸２９に沿って移動する。
キャリッジ２８には、記録ヘッド３０が搭載される。記録ヘッド３０は、搬送機構３４の上方において連続紙の記録面に対向し、連続紙の記録面と記録ヘッド３０との間には、後述するリボンカートリッジから引き出されたインクリボンが配設される。そして、記録ヘッド３０から連続紙の記録面に向けて記録ワイヤ（図示略）を打ち出すことにより、連続紙の記録面にインクが付着し、文字を含む画像が記録される。
【００２４】
記録ヘッド３０に対向する位置においては、連続紙の裏面側に、プラテン３１が配設される。プラテン３１は、連続紙に接する部分が平面状に形成された平プラテンであり、この平面において、記録ヘッド３０から突出する記録ワイヤの突出力を支持する。プラテン３１は、連続紙に対して垂直な方向に移動可能に構成され、ばね（図示略）によって連続紙に向けて付勢される。
【００２５】
排紙機構３５は、記録ヘッド３０により記録された連続紙に裏側から当接する第１排紙ローラ３５１と、右サイドフレーム２１から左サイドフレーム２２にかけて配設された可動フレーム３５３と、可動フレーム３５３を支持する可動軸３５４及びユニット支持軸３５５と、可動フレーム３５３と左サイドフレーム２２とに跨って組み付けられたばね３５６と、可動フレーム３５３に固定された複数の排紙ローラユニット３５７と、排紙ローラユニット３５７に組み付けられた第２排紙ローラ３５８とを備える。
【００２６】
第１排紙ローラ３５１は、記録ヘッド３０の上方において連続紙の裏面に当接し、搬送モータ及び駆動輪列部３３により駆動されて回転する。この第１排紙ローラ３５１に対して、連続紙を介して対向する位置に、可動軸３５４及びユニット支持軸３５５が配設される。可動軸３５４及びユニット支持軸３５５は、右サイドフレーム２１と左サイドフレーム２２との間に架け渡され、ユニット支持軸３５５は右サイドフレーム２１及び左サイドフレーム２２に固定される一方、可動軸３５４は、ユニット支持軸３５５を中心として円を描くように移動可能である。また、可動フレーム３５３は、可動軸３５４及びユニット支持軸３５５に固定され、可動軸３５４とともに移動可能である。
可動フレーム３５３には、可動軸３５４及びユニット支持軸３５５の軸方向に沿って並ぶ複数の排紙ローラユニット３５７が取り付けられる。排紙ローラユニット３５７には、それぞれ、ユニット支持軸３５５から離隔した位置に第２排紙ローラ３５８が組み付けられている。
【００２７】
可動フレーム３５３は、左サイドフレーム２２との間に架け渡されたばね３５６によって、ユニット支持軸３５５を中心として第１排紙ローラ３５１に近づく方向に付勢される。このため、排紙ローラユニット３５７が有する第２排紙ローラ３５８は、第１排紙ローラ３５１に押しつけられる方向に付勢され、この付勢力により、連続紙が第１排紙ローラ３５１と第２排紙ローラ３５８との間に挟まれる。さらに、可動軸３５４は、ローラ開閉モータの動作によって、ばね３５６の付勢力に抗して移動される。すなわち、ローラ開閉モータが開動作を行うと、ローラ開閉モータの駆動力によって、可動軸３５４がばね３５６の付勢力に抗して移動し、第２排紙ローラ３５８が第１排紙ローラ３５１から離隔する。また、ローラ開閉モータが駆動力を解放する（閉動作）と、ばね３５６の付勢力によって、第２排紙ローラ３５８が第１排紙ローラ３５１に押しつけられる。
【００２８】
ところで、本実施の形態のドットインパクトプリンタ１０は、上記のように、リア給紙機構２７を備え、リア側からの連続紙を給紙可能に構成されており、さらに、ユーザがドットインパクトプリンタ１０の正面側（フロント側）から連続紙をセット場合であっても、連続紙のセットミスを防止可能に構成されている。以下、かかる構成について詳述する。
【００２９】
図５はリア給紙機構２７を示す図であり、図６はリア給紙機構２７の断面図である。なお、図５においては、リアトラクタ２７１およびスプロケットホイール２７６のそれぞれを左右一対のうちの一方のみを示すが、その構成は、左右一対とも同じである（例えば図８参照）。
これらの図に示すように、本実施の形態では、連続紙のセット時に、この連続紙の先端位置を規制する規制部材７０がリアトラクタ２７１の近傍に配置されている。この規制部材７０は、図７に示すように、スプロケットホイール２７６の下方に配置され、このスプロケットホイール２７６によって搬送される連続紙をガイドするスプロケットガイド２７６Ａと一体形成されている。
【００３０】
スプロケットガイド２７６Ａについて詳細には、スプロケットガイド２７６Ａは、スプロケットホイール２７６の周面に沿って湾曲し、リアトラクタ２７１から搬送されてきた連続紙を搬送機構３４に向かわせるガイド部８０と、スプロケットホイール２７１の回転軸（図示せず）の挿通孔８２が形成された側壁８１と、リアトラクタ２７１の先端部が挿入される挿入口８３を有している。この挿入口８３には掛止爪８５が設けられており、挿入口８３にリアトラクタ２７１の先端部が挿入された場合に、リアトラクタ２７１の先端部に形成された掛止溝（図示せず）に掛止爪８５が引っ掛かり、リアトラクタ２７１がスプロケットガイド２７６Ａに着脱可能に取り付けられる。
スプロケットホイール２７６は、ガイド部８０の上方に配置されて、側壁８１の挿通孔８２に挿入された回転軸（図示）に支持され、この回転軸の回転により回転駆動される。
【００３１】
また、側壁８１をＬ字状に折り曲げて上記規制部材７０が形成され、この規制部材７０がガイド部８０およびスプロケットホイール２７１の正面側、すなわち、リアトラクタ２７１が配置される側に設けられる。規制部材７０は、図６および図７に示すように、スプロケットホイール２７１の正面側に配置される板状体がU字状に切り欠かれてなる規制片７０Ａ、７０Ｂと、規制片７０Ａ、７０Ｂの下端をガイド部８０（スプロケットホイール２７６）側にＬ字状に折り曲げてなる引掛防止片７０Ｃとを備え、規制片７０Ａ、７０Ｂにより、連続紙のセット時に、連続紙の先端位置が規制される。本実施の形態では、さらに、規制部材７０はリアトラクタ２７１と異なる色に着色されており、規制片７０Ａ、７０Ｂの識別性の向上が図られている。なお、規制片７０Ａ、７０Ｂの間に形成されたＵ字溝８４は、スプロケットホイール２７１のピン２７７との接触を避けるために形成されるものである。
【００３２】
リアトラクタ２７１がスプロケットガイド２７６Ａに取り付けられた場合、前掲図６に示すように、規制部材７０はリアトラクタ２７１と対向配置され、このリアトラクタ２７１の搬送面２７１Ａの上方に位置し、また、リアトラクタカバー（用紙押え）２７５とスプロケットホイール２７６の間に位置する。より詳細には、本実施の形態では、規制部材７０は、連続紙の搬送時に、連続紙のスプロケットホールから外れるリアトラクタ２７１のピン２７４と、この孔に挿入するスプロケットホイール２７６のピン２７７との間に位置するようになっている。
【００３３】
このとき、規制部材７０は、その下端である引掛防止片７０Ｃと、リアトラクタ２７１の搬送面２７１Ａとの間隔が、リアトラクタカバー２７５とリアトラクタ２７１の搬送面２７１Ａとの間隔とほぼ同程度となるように配置される。これにより、連続紙の搬送時には、連続紙、特に、連続紙の先端部が規制部材７０の下端に引っ掛かかり難くなる。さらに、規制部材７０の引掛防止片７０Ｃがスプロケットホイール２７６側に向かって折れ曲がっているため、連続紙がスムーズにスプロケットホイール２７６に向かってガイドされることとなる。
【００３４】
以上の構成の下、ユーザがリアトラクタ２７１に連続紙をセットする際には、先ず、リアトラクタカバー２７５を開いて、リアトラクタ２７１の搬送面２７１Ａを露出させる。そして、連続紙の先端部を規制部材７０に当接するまで内部に挿入し、当接した位置で、そこから最も近いピン２７４に、連続紙の最先位置のスプロケットホールを挿入する。そして、残りのスプロケットホールを順次、リアトラクタ２７１の他のピン２７４に挿入し、リアトラクタカバー２７５を閉じる。
【００３５】
このように、本実施の形態によれば、リアトラクタ２７１の近傍に、連続紙セット時に連続紙の先端位置を規制する規制部材７０を設けたため、リアトラクタ２７１への連続紙セット時に、ユーザが手探りでセットする場合でも、連続紙の先端部が規制部材７０に当接するため連続紙が奥まで押し込まれることがなく、また、ユーザは、連続紙の先端部と規制部材７０との当接により、連続紙のリアトラクタ２７１へのセット位置がわかりやすくなる。この結果、給紙時の紙ジャムの発生を未然に防止することができる。
【００３６】
また、本実施の形態によれば、規制部材７０をリアトラクタ２７１の搬送面２７１Ａに対向配置し、規制部材７０がリアトラクタ２７１の上方に位置するようにしたため、連続紙の先端部が規制部材７０に当接したときに、ユーザは連続紙をそのまま下ろせば、連続紙のスプロケットホールをリアトラクタ２７１の搬送面２７１Ａに露出したピン２７４に簡単に挿入可能となる。
【００３７】
さらに、連続紙の搬送時に、連続紙のスプロケットホールから外れるリアトラクタ２７１のピン２７４と、このスプロケットホールに挿入するスプロケットホイール２７６のピン２７７との間に規制部材７０を設けるようにしたため、連続紙の両側における最先位置のスプロケットホールのそれぞれを、連続紙の先端部が規制部材７０に当接した位置から一番近いピン２７４に挿入することで、連続紙の両端を正確に揃えることができ、紙ジャムの発生をより確実に防止することができる。
【００３８】
また、本実施の形態によれば、規制部材７０は、リアトラクタ２７１の搬送面２７１Ａとの間隔が、リアトラクタカバー２７５とリアトラクタ２７１の搬送面２７１Ａとの間隔と略同一となるように配置されるため、搬送時に連続紙の先端部が規制部材７０の下端に引っ掛かり難くなり、スムーズにスプロケットホイール２７６に向けて搬送することができる。
【００３９】
また、本実施の形態では、規制部材７０がリアトラクタ２７１と異なる色に着色されているため、規制部材７０の位置を把握し易くなり、ユーザがリアトラクタ２７１を目で確認しながら連続紙をセットする場合に、連続紙のリアトラクタ２７１へのセット位置がより正確にわかりやすくなる。
【００４０】
なお、上述した実施の形態は、本発明の一実施態様を示すものであり、本発明の範囲内で任意に変形可能である。
例えば、上述した実施の形態では、規制部材７０をスプロケットガイド２７６Ａと一体に構成した場合を例示したが、これに限らず、リアトラクタ２７１と一体に構成しても良い。この構成においても、規制部材７０がリアトラクタ２７１と異なる色に着色されていることが望ましい。
また例えば、上述した実施の形態では、リアトラクタ２７１のみに規制部材７０を設ける構成を例示したが、これに限らず、フロントトラクタ２６２にも設ける構成としても良い。
【００４１】
また、上述した実施の形態の構成に加え、さらに次のようにして、リアトラクタ２７１への連続紙のセット位置を把握し易くしても良い。すなわち、図８および図９に示すように、ドットインパクトプリンタ１０が、後方に向けて開閉可能に上部ケース１１に取り付けられた上背面カバー１４を備え、この背面カバー１４の開放時に、この開放によって露出した背面開口４００から、リアトラクタ２７１を有するリア給紙機構２７にアクセス可能に構成され、また、背面カバー１４Ａの内面１４Ａを正面側から視認可能に構成されている場合、背面カバー１４の内面１４Ａに、リアトラクタ２７１を映し出すミラー５００を貼付した構成としても良い。
この構成によれば、ユーザがドットインパクトプリンタ１０の正面側から連続紙をリアトラクタ２７１にセットする際に、手元がミラー５００に映し出されるため、ミラー５００をみながら、連続紙の先端部をリアトラクタ２７１に簡単かつ確実にセットすることが可能となる。
【図面の簡単な説明】
【００４２】
【図１】本発明に係るドットインパクトプリンタの外観斜視図である。
【図２】ドットインパクトプリンタの背面図である。
【図３】記録機構部の構成を示す斜視図である。
【図４】記録機構部の断面図である。
【図５】リア給紙機構の構成を示す斜視図である。
【図６】リア給紙機構の構成を示す断面図である。
【図７】規制部材が設けられたスプロケットガイドの構成を示す斜視図である。
【図８】背面カバー開放時のドットインパクトプリンタの斜視図である。
【図９】本発明の変形例に係るドットインパクトプリンタの側面図である。
【符号の説明】
【００４３】
１０・・・ドットインパクトプリンタ、１４・・・背面カバー、２０・・・記録機構部、２７・・・リア給紙機構、３０・・・記録ヘッド、７０・・・規制部材、７０Ａ、７０Ｂ・・・規制片、７０Ｃ・・・引掛防止片、２７１・・・リアトラクタ、２７４、２７７・・・ピン、２７５・・・リアトラクタカバー、２７６・・・スプロケットホイール、２７６Ａ・・・スプロケットガイド、５００・・・ミラー。
【図１】
2006232470.tif 000003
【図２】
2006232470.tif 000004
【図３】
2006232470.tif 000005
【図４】
2006232470.tif 000006
【図５】
2006232470.tif 000007
【図６】
2006232470.tif 000008
【図７】
2006232470.tif 000009
【図８】
2006232470.tif 000010
【図９】
2006232470.tif 000011